(57)【要約】【課題】日除けシートをコンパクトに収納でき、収納時に場所を取らないようにする。【解決手段】円弧状あるいは円環状のガイドレール部３ｂを有する桁フレーム３を備えるフレームユニット１と、骨組みとなる複数本の日除けフレーム１８と該日除けフレーム１８の間に張設される三角形状のシート状部材１９とで構成され、日除けフレーム１８の基端側の端部を束ねて要となる１つの回転軸２０で回転自在に連結することで回転軸２０を中心に扇状に開閉する日除けシート４とを備え、日除けシート４は、外周側の端部がスライド手段２１を介して桁フレーム３のガイドレール部３ｂに沿って周方向に摺動可能に吊り下げられると共に、内周側の端部が連結プレート２５を介して桁フレーム３の曲率中心に配置されている回転軸２０の異なる高さ位置に順次振り分けられて積み重ねるように回転自在に連結され、日除けフレーム１８の傾斜角度が隣同士で異なり、要となる回転軸２０の附近では互いに干渉することがないように上下方向に振り分けられている。【選択図】図９
2019049160.tif 000002
【特許請求の範囲】
【請求項１】
円弧状あるいは円環状のガイドレール部を有する桁フレームを備えるフレームユニットと、
骨組みとなる複数本の日除けフレームと該日除けフレームの間に張設される三角形状のシート状部材とで構成され、前記日除けフレームの基端側の端部を束ねて要となる１つの回転軸で回転自在に連結することで前記回転軸を中心に扇状に開閉する日除けシートとを備え、
前記日除けシートは、外周側の端部がスライド手段を介して前記桁フレームのガイドレール部に沿って周方向に摺動可能に吊り下げられると共に、内周側の端部が連結プレートを介して前記桁フレームの曲率中心に配置されている前記回転軸の異なる高さ位置に順次振り分けられて積み重ねるように回転自在に連結され、
前記日除けフレームの傾斜角度が隣同士で異なり、要となる前記回転軸の附近では互いに干渉することがないように上下方向に振り分けられていることを特徴とする自立式オーニング。
【請求項２】
前記回転軸の異なる領域に順次振り分けられる複数の前記連結プレートの各領域毎における前記回転軸に対する異なる連結位置に対応する連結プレート毎のオフセット量を設定して、各領域毎の前記日除けフレームの基端部の高さ位置を同じ高さに並べて、領域数と同じ数の前記日除けフレームの傾きを有することを特徴とする請求項１記載の自立式オーニング。
【請求項３】
前記日除けフレームの内周側の基端部を支持する前記連結プレートは、前記回転軸の上段側若しくは下段側の領域に交互に振り分けられて且つ異なる高さ位置で回転自在に支持されていることを特徴とする請求項１または２記載の自立式オーニング。
【請求項４】
前記桁フレームは複数の区画に分割され、各区画にそれぞれ日除けシートを備えると共に、各日除けシートの日除けフレームが１本の無端環状ロープで連結されて同時に開閉操作されることを特徴とする請求項１から３のいずれか１つに記載の自立式オーニング。
【請求項５】
前記複数の日除けフレームは、隣同士で傾斜角度を異にし、全体として内周側が外周側よりも低くなるように傾斜していることを特徴とする請求項１から４のいずれか１に記載の自立式オーニング。
【請求項６】
前記日除けフレームの内側に雨水受けを配置し、該雨水受と支柱に沿って配置した縦樋とを横樋で連結して支柱周辺に排水するようにしたことを特徴とする請求項１から５のいずれか１つに記載の自立式オーニング。
【請求項７】
前記開閉操作手段は、前記日除けシートに接続されたロープと、前記ロープを引き回して前記支柱の近傍で垂下させる引き回し手段を備えることを特徴とする請求項１から６のいずれか１つに記載の自立式オーニング。
【発明の詳細な説明】
【技術分野】
【０００１】
本発明は自立型オーニングに関する。さらに詳述すると、本発明は、日除けシートを水平面内で移動させることにより開閉可能とした天井を形成する自立型オーニングに関する。
【背景技術】
【０００２】
建物躯体から切り離された状況で自立して使用される所謂自立型オーニングとしては、４隅に配置された支柱とその上に支持される４本の桁フレームとの間で構成される矩形状のルーフフレームユニットに張った日除けシートをその長手方向にスライドさせて開閉するパーゴラ式オーニングが知られている（特許文献１）。
【０００３】
このパーゴラ式オーニングのルーフフレームユニットは前後左右に桁フレームを備えており、四隅が支柱によって支持されている。そして、左右の桁フレームの間に複数の吊りパイプが吊り下げられており、各吊りパイプの間にはキャンバスが張られている。即ち、複数枚の小さなキャンバスを吊りパイプで接続し、１枚の大きな日除けシートを構成している。各吊りパイプのうち、後の桁フレーム側の吊りパイプ（以下、固定の吊りパイプという）は左右の桁フレームに固定されており、固定の吊りパイプ以外の吊りパイプは図示しないスライダを介して左右の桁フレームに移動可能になっている。そして、先頭（前の桁フレーム側）の吊りパイプをロープ駆動手段によって前後に移動させることで、連結されている他の吊りパイプも移動し、日除けシートを全体として開閉することができる。
【先行技術文献】
【特許文献】
【０００４】
【特許文献１】特開２０１４−１６９５６３号公報
【発明の概要】
【発明が解決しようとする課題】
【０００５】
しかしながら、長方形のルーフフレームユニット内を長方形の日除けシートが端から折りたたまれながら直線的に平行移動するだけの開閉機構であるため、日除けシートの動きに目新しさや面白みが欠ける上に、吊りパイプの左右両端のスライダの動きに同調が採れないと軽い操作力で簡単に開閉させることが難しくなる。
【０００６】
しかも、日差しを取り入れるために日除けを収納するときには、折り畳まれる日除けシートが吊りパイプの平行移動によってオーニングの片端に寄せ集められるため、長方形に折り畳まれた日除けシートによって日光が遮られる大きな領域が生ずる問題がある。
【０００７】
本発明は、日除けシートをコンパクトに収納でき、収納時に場所を取らない自立式オーニングを提供することを目的とする。
【課題を解決するための手段】
【０００８】
かかる目的を達成するために、請求項１記載の発明にかかる自立式オーニングは、円弧状あるいは円環状のガイドレール部を有する桁フレームを備えるフレームユニットと、骨組みとなる複数本の日除けフレームと該日除けフレームの間に張設される三角形状のシート状部材とで構成され、前記日除けフレームの基端側の端部を束ねて要となる１つの回転軸で回転自在に連結することで前記回転軸を中心に扇状に開閉する日除けシートとを備え、前記日除けシートは、外周側の端部がスライド手段を介して前記桁フレームのガイドレール部に沿って周方向に摺動可能に吊り下げられると共に、内周側の端部が連結プレートを介して前記桁フレームの曲率中心に配置されている前記回転軸の異なる高さ位置に順次振り分けられて積み重ねるように回転自在に連結され、前記日除けフレームの傾斜角度が隣同士で異なり、要となる前記回転軸の附近では互いに干渉することがないように上下方向に振り分けられていることを特徴とする。
【０００９】
また、請求項２記載の自立式オーニングは、回転軸の異なる領域に順次振り分けられる複数の連結プレートの各領域毎における回転軸に対する異なる連結位置に対応する連結プレート毎のオフセット量を設定して、各領域毎の日除けフレームの基端部の高さ位置を同じ高さに並べて、領域数と同じ数の日除けフレームの傾きを有することを特徴とする。
【００１０】
また、請求項３記載の自立式オーニングは、日除けフレームの内周側の基端部を支持する連結プレートは、回転軸の上段側若しくは下段側の領域に交互に振り分けられて且つ異なる高さ位置で回転自在に支持されていることを特徴とする。
【００１１】
また、請求項４記載の自立式オーニングは、桁フレームが複数の区画に分割され、各区画にそれぞれ日除けシートを備えると共に、各日除けシートの日除けフレームが１本の無端環状ロープで連結されて同時に開閉操作されることを特徴とする。
【００１２】
また、請求項５記載の自立式オーニングは、複数の日除けフレームが、隣同士で傾斜角度を異にし、全体として内周側が外周側よりも低くなるように傾斜しているものである。
【００１３】
また、請求項６記載の自立式オーニングは、日除けフレームの内側に雨水受けを配置し、該雨水受と支柱に沿って配置した縦樋とを横樋で連結して支柱周辺に排水するようにしたものである。
【００１４】
また、請求項７記載の自立式オーニングは、開閉操作手段が、日除けシートに接続されたロープと、ロープを引き回して支柱の近傍で垂下させる引き回し手段を備えることを特徴とするものである。
【発明の効果】
【００１５】
請求項１記載の自立式オーニングによれば、扇形に１つの回転軸で連結された複数の日除けフレームの基端部側が異なる高さ位置に順次振り分けられて積み重ねるように回転自在に連結されて要となる回転軸寄りの附近での隣合う日除けフレーム同士の干渉が起こらないように上下方向に振り分けられているので、外周端側での隣合う日除けフレームの間の間隔を開けずに接近させてコンパクトに収納でき、収納時に場所を取らない。依って、日除けシートを折り畳んだ収納時に陽射しを遮る面積を特許文献１記載のオーニングのように吊りパイプの平行移動によって長方形に折り畳むときよりも少なくすることができる。
【００１６】
しかも、回転軸を中心に円環状フレームに沿って水平面内で扇形に日除けシートが開閉するという、従来にない斬新な動きのオーニングを提供できる。また、回転軸を中心に扇形に開閉するため、開閉がスムーズであると共に軽い操作力で簡単に開閉させることが可能である。
【００１７】
また、請求項２記載の自立式オーニングによれば、回転軸の異なる領域に順次振り分けられる複数の連結プレートの基端部の高さ位置を領域数と同じ数の日除けフレームの傾きにして領域数と同じ段数に並べているので、要となる回転軸寄りの附近での収納高さを必要とせずに日除けフレーム同士の干渉の問題を無くすことができる。
【００１８】
また、請求項３記載の自立式オーニングによれば、日除けフレームの内周側の基端部を上段側と下段側との２つの領域に交互に振り分けて干渉の問題を無くしているので、よりコンパクトに収納でき、収納時に場所を取らない。
【００１９】
また、請求項４記載の自立式オーニングによれば、複数の区画で複数の日除けシートが同時に開閉するという面白みのある動きを実現できると共に各区画毎に日除けシートの開閉が同時に行われるので、展開（全開）あるいは収納（全閉）させるのに時間がかからない。しかも、展開時には環状に配置された複数の日除けシートが全体として１つの大型の円形状のオーニングを構成することができる。
【００２０】
また、請求項５記載の自立式オーニングによれば、隣同士で傾斜角度を異にし、かつ全体として内周側が外周側よりも低くなるように傾斜しているので、日除けシートの外周縁から雨水が落ちることを防ぐことができる。これによって、強く雨が降ったときなどに、雨水がオーニングの周縁から滝のように流れ落ちるのを防いで、オーニングの連設を可能にする。
【００２１】
請求項６記載の自立式オーニングによれば、日除けフレームの内側に雨水受けを配置し、該雨水受と支柱に沿って配置した縦樋とを横樋で連結して支柱周辺に排水するようにしているので、日除けシートの外周縁から雨水が落ちることを防ぐことができる。これによって、強く雨が降ったときなどに、雨水がオーニングの周縁から滝のように流れ落ちるのを防いで支柱周辺のグランド近傍で排水することで、オーニングの連設を可能にする。
【００２２】
請求項７記載の自立式オーニングによれば、開閉操作手段は、日除けシートに接続されたロープと、ロープを引き回して支柱の近傍で垂下させる引き回し手段を備えるので、簡単に操作できる。
【図面の簡単な説明】
【００２３】
【図１】本発明の自立式オーニングの一実施形態を示す平面図であり、日除けシートの展開状態を示す。
【図２】同自立式オーニングの日除けシートの収納状態を示す平面図である。
【図３】同自立式オーニングの日除けシートの収納状態を示す正面図である。
【図４】同自立式オーニングの日除けシートの収納状態を示す右側面図である。
【図５】同自立式オーニングの日除けシートの展開状態を示す正面図である。
【図６】同自立式オーニングの日除けシートの展開状態を示す底面図である。
【図７】同自立式オーニングの円環状フレームを構成する支柱と中央吊り支柱と桁フレーム、梁フレーム並びに垂木フレームとの接合構造を示す図であり、（Ａ）は中央吊り支柱と梁フレーム及び垂木フレーム、（Ｂ）は支柱と桁フレーム、梁フレーム及び垂木フレームとの接合関係を示し、（Ｃ）は中央吊り支柱の平面図である。
【図８】日除けフレームの基端側と回転軸との連結構造の一例を示す概略図である。
【図９】日除けフレームの基端側と回転軸との連結構造並びに外周端側と桁フレームとの係合関係を示す概略説明図である。
【図１０】日除けフレームの外周端側のスライド手段の構造と牽引ロープとの関係を正面から見て示す概略説明図である。
【図１１】日除けフレームの外周端側のスライド手段の構造と牽引ロープとの関係を側面から見て示す概略説明図である。
【図１２】日除けシートを開閉させる開閉操作手段の牽引ロープの支柱附近での引き回しの一例を示す図であり、（Ａ）は平面図、（Ｂ）は正面図である。
【図１３】日除けシートを開閉させる開閉操作手段の牽引ロープの一部を支柱に沿って垂らす引き回しの一例を示す図であり、（Ａ）は平面図、（Ｂ）は正面図である。
【図１４】牽引ロープを支柱に沿って垂らす機構の一例を示す斜視図である。
【図１５】１つの区画における日除けシートの開閉動作の一例を示す図であり、（Ａ）は収納時、（Ｂ）は展開時を示す。
【図１６】本発明の自立式オーニングの他の実施形態を示す平面図である。
【発明を実施するための形態】
【００２４】
以下、本発明の構成を図面に示す形態に基づいて詳細に説明する。
【００２５】
図１〜図１５に、本発明の自立式オーニングの実施形態の一例を示す。なお、本実施形態では日除けシート４を展開させる（広げる）方向を前方向、収納させる（閉じる）方向を後方向、並びに径方向外側を外周側、径方向内側を内周側あるいは基端側と呼ぶ。
【００２６】
本実施形態にかかる自立式オーニングは、図１及び図２に示すように、円環状フレーム１に沿って日除けシート４を水平面内で扇を広げるように旋回させることにより開閉可能とした天井を形成するものであり、支柱２の間の扇形の区画毎に扇形の日除けシート４を備え、各区画毎の日除けシート４の先頭の日除けフレーム１８に連結される開閉操作手段の牽引ロープ１２を操作することによって、３区画の日除けシート４が同時に開閉させられるように構成されている。即ち、本実施形態のオーニングは、３つの扇形の日除けシート４を環状に配置して全体として円形のオーニング（日除け）を構成するものであり、１つの開閉操作手段によって各区画毎の扇形の日除けシート４が同時に開閉する構造とされている。
【００２７】
円環状フレーム１は、例えば図７に示すように、円弧状の桁フレーム３と、桁フレーム３の両端を支持する支柱２と、中央に配置される支柱（以下、中央吊り支柱７と呼ぶ）と、中央吊り支柱７の周りに放射状に配置されて中央吊り支柱７と周辺の支柱２とを径方向に連結する水平の構造材（以下、梁フレーム５と呼ぶ）及び斜めの構造材（以下、垂木フレーム６と呼ぶ）とで構成されている。本実施形態の場合、３つの桁フレーム３とそれぞれの両端を支持する３本の支柱２とによって区画された３つの扇形区画を周方向に繋いで円環状フレーム１が構成され、各扇形区画に折り畳み式の日除けシート４を開閉可能に備えている。各扇形区画の桁フレーム３は、円弧状を成しているが、各扇形区画毎に備えられている回転軸２０を曲率中心とした円弧状を成し、円環状フレーム１全体の中心である中央吊り支柱７の中心を曲率中心とする円とは曲率半径を異にしている。つまり、１つの曲率中心を有する真円の円環を構成するのではなく、３つの円弧を繋ぎ合わせた３つの曲率中心を有する非真円形状の円環を構成する。
【００２８】
支柱２は例えば横断面形状がほぼ正方形の角パイプで構成されており、周方向において対向する２面即ち側面に桁フレーム３が連結される一方、それらと直交する内側（径方向内側）の面に梁フレーム５が連結されている。例えば、図７に示すように、桁フレーム３、梁フレーム５並びに垂木フレーム６と嵌合するコ形ないし角筒形のブラケット８を予め支柱２及び中央吊り支柱７側に固定し、該ブラケット８を各フレームの端部開口に嵌合させた状態でボルト止めすることで固定されている。さらには、支柱２と桁フレーム３とは、接合面箇所に例えば三角形状の補強板（三角ブラケット９）が宛がわれて相互に連結されると共に補強されている。また、支柱２と梁フレーム５との間も、接合面箇所に例えば三角形状の補強板（三角ブラケット１０）が宛がわれて相互に連結されると共に補強されている。これによって、支柱２と桁フレーム３、梁フレーム５並びに垂木フレーム６とが互いに固定（剛接合）されると共に中央吊り支柱７が支持されたラーメン構造を成している。
【００２９】
各区画の日除けシート４が折り畳まれて寄せ集められる位置には、収納状態にある日除けシート４が雨に濡れたり日焼けしたりあるいは塵埃に汚れることを防ぐ収納カバー１１が設けられている（図１及び図２参照）。この収納カバー１１は、梁フレーム５と桁フレーム３に対し、図示していないスペーサを介して浮き上がった状態で桁フレーム３と梁フレーム５とに跨がって固定されており、各フレーム３，５との間に牽引ロープ１２が通過する隙間を形成するように設けられている。収納カバー１１は、例えば略三角形を成し、収納状態にある日除けシート４が収まり尚且つ展開状態の隣る区画の日除けシート４の先頭の日除けフレーム１８を覆い隠し、内周縁部が雨水受け１３の内側にまで達する大きさとされている。これによって、収納される日除けシート４を覆い隠して保護すると共に、日除けシート４が展開されたときに日除けシート４と梁フレーム５との間に隙間が発生しないようにして、円環状フレーム１の内側に雨滴が漏れないように配慮されている。
【００３０】
中央吊り支柱７は、例えば図７の（Ｃ）に示すように、幅の広い面と幅の狭い面とが交互に形成された不規則な六角形の横断面形状を成し、３箇所の比較的大きな平面にはそれぞれ垂木フレーム６と梁フレーム５とがブラケット８を介して剛接合されると共に、それらの間の３箇所の比較的小さな平面には扇形に開閉する日除けシート４の要となる回転軸２０を軸承するためのブラケット１７が取り付けられている。ブラケット１７は、例えば上辺と下辺とを有するコ形を成し、上辺と下辺との間で日除けシート４の回転軸２０が支持されている。
【００３１】
中央吊り支柱７には浅いロート状の雨水受け１３が吊り下げられている（例えば図６及び図９参照）。この雨水受け１３の中央には、横樋１４が貫通させられた集水器４０が備えられ、雨水受１３に集まった雨水を溜めて横樋１４に流し込むように設けられている。集水器４０には横樋１４が所定の傾斜がつけられて連結されると共に、任意の支柱２の内側に取り付けられた縦樋１５とさらに連結されて、日除けシート４並びに屋根１６に降った雨水を雨水受け１３に集めてから横樋１４並びに縦樋１５を介して地上まで導水するように設けられている。これによって強く雨が降ったときなどに、雨水がオーニングの周縁から滝のように流れ落ちるのを防いで、オーニングの連設を可能にしている。尚、雨水受け１３は、本実施形態の場合、ハンガー４０ａで回転軸２０を軸承するブラケット１７に連結されて吊り下げられているが、支持構造はこれに特に限られるものではなく、例えば中央吊り支柱７の六角に配置された平面のいずれかの面、例えば等間隔に配置される３面にハンガー４０ａを介して直接吊り下げられるように設けても良い。
【００３２】
また、中央吊り支柱７の頂部には、円錐状の屋根１６が載置されている。この屋根１６は、例えば日除けシート４のシート状部材１９の内周縁よりも径方向外側に僅かに張り出す大きさとされ、日除けシート４と収納カバー１１の内周縁側を覆うように配置されている。これによって、屋根１６で受けた雨水は日除けシート４あるいは収納カバー１１の内周縁側寄りの位置に落とされ、さらに雨水受け１３に流される。
【００３３】
桁フレーム３は、本実施形態の場合、少なくとも日除けフレーム１８の外周端側のスライド手段２１を抱持して周方向に移動可能に支持するガイドレール部３ｂを有するものであり、例えば構造物としての強度を担保する縱長の長方形から成る角パイプ３ａとガイドレール部３ｂを構成するチャネル材とを背中合わせに接合したものが用いられている。図１１に、桁フレーム３の横断面の一例を示す。角パイプ部３ａの径方向内側に内向き即ち中央吊り支柱７に開口が向くようにチャネル材・ガイドレール部３ｂが配置されて溶接付されている。本実施形態の場合、角パイプ部３ａのチャネル材３ｂと対向する内側の面には凹部が形成され、該凹部にガイドレール部３ｂが嵌まり込むようにして上下方向に引っ掛かりを備えるようにして一体化されている。尚、本実施形態では桁フレーム３をチャネル材３ｂと角パイプ３ａとを組み合わせて構成しているが、これに特に限られるものではなく、ガイドレール部３ｂが予め一体成形された押出成形材で構成するようにしても良い。
【００３４】
円弧状の桁フレーム３の中央部分と中央吊り支柱７との間には、図１に示すように、吊りワイヤー２９が張られて桁フレーム３の中央部分が撓まないように設けられている。吊りワイヤー２９の一端例えば径方向外側の端部は、桁フレーム３の外周面側にねじ止めされたブラケット３０に固定される一方、他端側即ち径方向内側の端部は中央吊り支柱７のフック３１に引っ掛けられている。そして、図示していないターンバックルなどで適正なテンションが掛けられる。
【００３５】
尚、本実施形態の場合、支柱２は地中に直接埋設して固定するように設けられているが、これに特に限定されるものではなく、例えば支柱２の底部に基板（図示省略）を溶接付けあるいはボルト止めなどで固定し、該基板を構造物や基礎などにボルト留めすることで固定したり、あるいは基板の上に錘となる筒状のブロック例えば半割可能なブロックなどを載置して重量で固定するようにして使用しても良い。
【００３６】
日除けシート４は、例えば、骨組みとなる複数本の日除けフレーム１８と該日除けフレーム１８の間に張設される三角形状のシート状部材１９とで構成され、日除けフレーム１８の基端側の端部を束ねて要となる１つの回転軸２０で回転自在に連結することで回転軸２０を中心に開閉する扇形に設けられている。本実施形態の日除けシート４は、展開状態で１つの環状桁フレーム３と梁フレーム５との間に形成される扇形区画とほぼ同じ大きさになるように設けられており、中央吊り支柱７に対して平行（即ち鉛直方向）に回転軸２０を配置して水平面内で開閉可能に備えられている。
【００３７】
日除けフレーム１８は、例えば図８，１０に示すように、吊り下げのための頭部１８ａと、シート状部材１９を連結する本体部１８ｂとを有し、頭部１８ａと本体部１８ｂとの境界部分にクランプ部材２２やクランプ部材２６の爪部を差し込む溝（頸部１８ｃと呼ぶ）が長手方向に形成されている。本実施形態の場合、本体部１８ｂの底面にはシート状部材１９を嵌合させる２本の長溝１８ｃが並列に設けられている。各長溝１８ｃの横断面形状は円形を成し底面の開口部分が狭く形成されている。このような横断面形状の日除けフレーム１８は例えばアルミニウムの押し出し成型などによって形成される。したがって、日除けフレーム１８とシート状部材１９とは、長溝１８ｃにシート状部材１９の筒状端部１９ａを芯材１９ｂと共に端部開口から装入すると共に、底面の開口部分からシート状部材１９を引き出すことにより固定される。また、２本の長溝１８ｂに前後の日除けシート４の一端をそれぞれ装入して固定することで、前後の日除けフレーム１８がそれらの間に張られるシート状部材１９によって連結される。尚、シート状部材１９としては、例えばキャンバス等の使用が可能であるが、これに限られない。また、図示していないが、日除けフレーム１８の両端開口は例えば図示していないキャップによって塞がれている。
【００３８】
以上のように構成された日除けシート４は、外周側の端部がスライド手段２１を介して桁フレーム３のガイドレール部３ｂに引っ掛けられて周方向に摺動可能に吊り下げられると共に、内周側の端部が連結プレート２５を介して桁フレーム３の曲率中心に配置されている回転軸２０の異なる高さ位置例えば上側の領域（上段側２０ｂと呼ぶ）と下側の領域（下段側２０ａと呼ぶ）とに交互に振り分けられて積み重ねるように回転自在に連結され、回転軸２０を要として、桁フレーム３に沿って扇形に開閉する構造とされている（図９,図１５参照）。
【００３９】
スライド手段２１は、例えば図１０に示すように、日除けフレーム１８に取り付けるためのクランプ部材２２と、桁フレーム３のガイドレール部３ｂに吊り下げられて周方向に移動可能なスライダ２３と、クランプ部材２２とスライダ２３とを連結する締結具としての締結用ボルト２４とで構成されている。クランプ部材２２は、例えば日除けフレーム１８の頭部（角パイプ部）１８ａを挟持する左右一対の挟持片２２ａと、頭部１８ａを挟んで一対の挟持片２２ａを連結して頭部１８ａを挟持させる締め付け用ボルト２２ｂとで構成され、挟持片２２ａの下端の内側に折り曲げられた下爪部２２ｃが日除けフレーム１８の頸部１８ｃに引っ掛けられると共に上端の外側に折り返された上爪部２２ｄがスライダ２３のベース部２３ｃに係合された状態で締結用ボルト２４によってスライダ２３に締結されて固定されている。挟持片２２ａはその上爪部２２ｄをスライダ２３のベース部２３ｃに空けられたスリット２３ｄに通してベース部２３ｃの上に引っ掛けられ、スリット２３ｄの幅内で調整移動可能に設けられている。これによって、一対の挟持片２２ａを頭部１８ｃの端部から挿入する際にクリアランスを調整可能とするように設けられている。
【００４０】
スライダ２３は、桁フレーム３のガイドレール部３ｂに沿って転動可能なローラ２３ａとこれを支えるローラ支持具２３ｂとで構成されている。ここで、ローラは少なくとも１つ存在すれば日除けフレーム１８の先端を環状桁フレーム３のガイドレール部３ｂに引っ掛けながら転動させるようにすることができるが、好ましくは複数、より好ましくは移動方向のみならず上下方向にもローラを複数配置した構造とすることである。例えば、本実施形態の場合には、ガイドレール部３ｂの天井面に接触したときに転動する２つのローラと、ガイドレール部３ｂの底面に常時接触して転動する２つのローラとの４個のローラが採用され、それぞれ移動方向に離間させて配置され、日除けフレーム１８の姿勢を安定させるように設けられている。
【００４１】
他方、日除けフレーム１８の傾きについては、本実施形態では、回転軸２０の異なる領域に順次振り分けられる複数の連結プレート２５の各領域毎における回転軸２０に対する異なる連結位置に対応する連結プレート２５毎のオフセット量を設定して、各領域毎の日除けフレーム１８の基端部の高さ位置を同じ高さに並べて、領域数と同じ数の日除けフレーム１８の傾きを作り出すようにしている。例えば、本実施形態では、各日除けフレーム１８の内周側の基端部を支持する連結プレート２５は、回転軸２０の上段側若しくは下段側の領域に交互に振り分けられて且つ異なる高さ位置で回転自在に支持されている。具体的には、８本の日除けフレーム１８の内の奇数番面の日除けフレーム１８に連結される連結プレート２５が回転軸２０の下段側２０ａに順次嵌合される一方、偶数番面の日除けフレーム１８に連結される連結プレート２５が回転軸２０の上段側２０ｂに順次嵌合されるようにしている。これによって、日除けフレーム１８を収納するときには、図８に示すように、日除けフレーム１８の基端部側では、例えば上の列と下の列との２列に交互に並べられて振り分けられる。このとき、日除けフレーム１８の基端部の位置は図９に示すように上下２列に並べられるが、回転軸２０に連結される位置は１つずつ異なる位置となるため、連結プレート２５のオフセット量の調整が必要である。例えば、基準となる高さの連結プレート２５が真っ直ぐ（オフセット量０）であるとき、残りの３枚の連結プレート２５はクランク状に折り曲げられており、例えば１つの連結プレート２５は上に向けてオフセットするように折り曲げられ、他の２つの連結プレート２５は下に向けてオフセットするように折り曲げられている。これにより、４本の連結プレート２５が一定間隔で回転軸２０に離間させて嵌合される一方、日除けフレーム１８の基端部は同じ高さ位置に並べられる。即ち、本実施形態の場合、各日除けフレーム１８は、交互に２種類の傾きを以て吊り下げられている。
【００４２】
尚、連結プレート２５は、例えば日除けフレーム１８の内周端側にクランプ部材２６を介して固定されている。クランプ部材２６は、例えば図９に示すように、左右一対の挟持片２７とこれらを連結して間隔を調整するボルト２８とで構成され、挟持片２７の下端の爪部２７ａで日除けフレーム１８の頸部１８ｃを引っ掛けると共に頭部１８ａを挟持した状態でボルト２８によって固定されている。そして、一対の挟持片２７の上端は互いに内向きに折り曲げられて上爪部２７ｂを形成し、日除けフレーム１８の頭部１８ａの上面と各挟持片２７の上爪部２７ｂとの間に連結プレート２５を装入した状態で連結プレート２５の両側面の凹部と上爪部２７ｂとを噛み合わせた状態でボルト締めにより日除けフレーム１８と連結プレート２５とを一体化するように設けられている。
【００４３】
ここで、連結プレート２５の先端には、回転軸２０及びフランジ付き軸受けブッシュ３２を貫通させるための貫通孔３５が穿孔され、８本の連結プレート２５の間にスペーサを兼ねた鍔付き軸受けブッシュ３２とカラー３３とを介在させながら、１本の回転軸２０を挿入させて滑らかに回転可能に連結されている。回転軸２０の両端と中間部には、それぞれ回転軸２０にねじ止めされて固定される抜け止めブロック３４が配置され、各連結プレート２５の高さ位置が保たれた状態で中央吊り支柱７に固着されている溝形のブラケット１７の軸孔（図示省略）に回転軸２０を貫通させて固定されている。
【００４４】
本実施形態では、各日除けフレーム１８の外周端側はスライド手段２１によって環状の桁フレーム３のガイドレール部３ｂに吊り下げられ、ガイドレール部３ｂに沿って周方向に移動可能に支持されている。また、各日除けフレーム１８の基端側には、各々異なる曲げ深さ（オフセット量）の連結プレート２５がクランプ部材２６を介して固着され、各連結プレート２５が回転軸２０の上段側２０ｂと下段側２０ａとに振り分けられると共に各段においてもそれぞれ軸方向にずらして嵌合されている。したがって、各日除けフレーム１８は、外周側では同じ高さに並べられると共に、内周側では交互に上段の列と下段の列とに鉛直方向に振り分けられて配置されることとなる（図８参照）。つまり、日除けフレーム１８は隣合う日除けフレーム１８の間で傾斜角度が異なり、内周側では互いに干渉することがないように上下に振り分けられる。このため、日除けシートはコンパクトに収納できる。しかも、各日除けフレーム１８の傾斜は、基端部側で上側に振り分けられるものと下側に振り分けられるものとで傾斜角度を異にするが、いずれにしても日除けフレーム１８の間に張られるシート状部材１９の傾きが少なくとも径方向内側が外側に比べて低くなるように設けられている。これにより、日除けシート４の上に降った雨水を日除けシート４の外周側から滴下させるのではなく、中央の雨水受け１３に集めてから縦樋１５を経て地面に導くことができる。
【００４５】
また、各日除けシート４の先頭の日除けフレーム１８には連繋部材３６を介して開閉操作手段の牽引ロープ１２が連結されている。連繋部材３６は、例えば図１０及び図１１に示すように、ローラ支持具２３ｂにビス止めされて桁フレーム３の上方のロープ走行用ガイドプーリー４１とその間に引き回されている牽引ロープ１２を跨ぐようにしてそれらの外に牽引ロープ１２を固定するロープ固定部３７を配置する略Ｌ形の板材から成り、移動中にロープ走行用ガイドプーリー４１と干渉しない位置を通過するように設けられている。ロープ固定部は、本実施形態の場合、互いに等距離・等角度の関係（三角形の頂点）を保つように配置された３本のビスと、少なくともその内の１本にねじ止めされた固定プレートとから成り、牽引ロープ１２が３本のビスの間を縫うように通過させられると共に固定プレートで押さえつけている。これにより、牽引ロープ１２は、牽引ロープ１２の引っ張られる方向には固定される。
【００４６】
他方、先頭以外の日除けフレーム１８は、牽引ロープ１２と連結されておらず、先頭の日除けフレーム１８の移動に伴って展開されるシート状部材１９によって１本ずつ順次引っ張り出されるように設けられている。また、牽引ロープ１２による引っ張り方向は、日除けフレーム１８を収納カバー１１の下から引き出す方向にのみならず、収納カバー１１の下に引き入れる方向にも引っ張られる。したがって、日除けフレーム１８は、先頭の日除けフレーム１８の移動に伴ってシート状部材１９を展開しながら順次引き出され、収納時には先頭の日除けフレーム１８の後退に伴ってシート状部材１９を弛ませながら順次当接した日除けフレーム１８を集めながら収納カバー１１の下に収納する。
【００４７】
尚、各区画における最後尾の日除けフレーム１８は、例えば図示していない係止手段によって支柱２あるいは桁フレーム３に固定されている。これによって、先頭の日除けフレーム１８が牽引ロープ１２によって周方向に引き出されると、シート状部材１９が張り詰めることで次々に日除けフレーム１８が引き出されて展開されて行き、固定された最後尾の日除けフレーム１８との間でシート状部材１９がほぼ水平に張り詰められることとなる。
【００４８】
図１及び図１０〜図１４に、開閉操作手段の一実施形態を示す。本実施形態の開閉操作手段は、例えば、１本の牽引ロープ１２を利用して、３区画の日除けシート４を同時に開閉させるようにしたものである。牽引ロープ１２は無端の環状を成し、桁フレーム３の上に搭載されている多数のロープ走行用ガイドプーリー４１に掛けられて１周引き回される一方、オーニング使用者の手元で操作できるように任意の支柱２に沿って一部が垂らされている。
【００４９】
桁フレーム３の上面には、牽引ロープ１２が円弧状の桁フレーム３に沿って引き回されるように、多数のロープ走行用ガイドプーリー４１が配置されている。例えば、本実施形態の場合、桁フレーム３が周方向に３分割された１つの桁フレーム３毎に１５°間隔で８個のロープ走行用ガイドプーリー４１が設けられることにより、張り渡された牽引ロープ１２によって各区画毎に７角形、全体として２４角形を構成するように配置され、円に近似した多角形を形成するように構成されている。
【００５０】
ここで、円環状フレーム１は、３つの円弧状の桁フレーム３を３本の支柱２を挟んで繋ぎ合わせて環状としているので、日除けシート４が開閉動作する範疇は支柱２によって分断された３つの区画のそれぞれの領域内に限られている。そこで、牽引ロープ１２は、桁フレーム３と支柱２とが交差するところでは、支柱２の背後（径方向内側）に迂回させられて隣る桁フレーム３上に引き回すように設けられている。例えば、方向転換用ガイドプーリー４２を梁フレーム５の側面に配置することにより、牽引ロープ１２を桁フレーム３のロープ走行用ガイドプーリー４１から梁フレーム５の側面の方向転換用ガイドプーリー４２を経由して垂木フレーム６と梁フレーム５との間を潜るように通過させて隣る桁フレーム３上のロープ走行用ガイドプーリー４１に引き回される。
【００５１】
斯くして、牽引ロープ１２は環状の桁フレーム３の幅内に収まる範囲内で引き回されて１周するように張り巡らされる。つまり、下から見て牽引ロープ１２が桁フレーム３の外にはみ出ることがない。しかも、牽引ロープ１２は環状の桁フレーム３の幅内に収まる範囲内で張り巡らされてほぼ円に近い多角形で張られているので、日除けフレーム１８の位置に関係なく、日除けフレーム１８に対してほぼ接線方向に牽引力を作用させることができる。このため、日除けフレーム１８に無用の力を掛けずに引き回すことができる。勿論、上述のロープ走行用ガイドプーリー４１の数や配置位置などには特に限定されるものではなく、必要に応じて適宜数のロープ走行用ガイドプーリー４１などが適宜位置に配置されるものである。
【００５２】
さらに、牽引ロープ１２の一部分は、オーニング使用者の手元で操作できるように、支柱２に沿って垂らされている。例えば、桁フレーム３の上から梁フレーム５側に水平方向に牽引ロープ１２を案内する方向転換用ガイドプーリー４２と鉛直方向に牽引ロープ１２を案内する縦ガイドプーリー４３が梁フレーム５の左右両側面にそれぞれ備えられ、牽引ロープ１２の一部分が支柱２に沿って垂下するように引き回されている。そして、牽引ロープ１２が垂れ下げられている支柱２部分には、ロープ固定装置４４とロープの緩みをとるための予張装置４５とが備えられ、牽引ロープ１２が任意の位置で固定されると共に弛みが生じないように常時張力が付加されている。
【００５３】
ロープ固定装置４４としては、例えばクラムクリートと呼ばれるロープ止めが利用されている。このクラムクリートは、例えば相対峙する双璧の間でＶ形（楔状）の溝が形成されると共に楔状の両斜面には摩擦を上げるための１または２以上の返りとなる凸条（換言すれば溝）がロープの移動方向と交差するように形成されたものであり、楔状の溝に牽引ロープ１２を嵌め込んで、摩擦で牽引ロープ１２の移動を固定するものである。楔状の溝は、溝幅が溝底部に向かう程狭くなっているので、垂下する牽引ロープ１２が真っ直ぐ引っ張られた位置が当該溝の底部附近となるようにクラムクリートを設置すれば、牽引ロープ１２に張力が加わるほど溝の奥深くに入り、止まり易くなる。つまり、溝に牽引ロープ１２を軽くかけるだけでがっちり牽引ロープ１２が保持され、容易に牽引ロープ１２を固定することができる。
【００５４】
このクラムクリートは、一方向にのみ拘束力を付与するものであり、例えば図１４に示すように上向きに移動する牽引ロープ１２を固定するように設置した状態においては、上方向（Ｂ矢印方向）に移動するロープしか固定できず、ロープを下（Ａ矢印方向）に引くと固定が解除される。したがって、日除けを開閉操作するときには、牽引ロープ１２を単に下に向けて引っ張るか、あるいはクラムクリートの溝からロープを引き出して任意の方向に移動させることで行われる。そして、日除けを任意の位置で固定したい場合には、牽引ロープ１２をクラムクリートの溝に軽く押し込めるだけで固定される。依って、日除けシート４は、収納状態と展開状態並びにその間の任意の位置・角度で固定することができる。
【００５５】
他方、予張装置４５は、牽引ロープ１２に対して常時張力を付加することによって牽引ロープ１２の緩みを無くしてロープ走行用ガイドプーリー４１などに引き回されている牽引ロープ１２が脱落するのを防止したり、日除けシート４が周方向にがたつかないようにするためのものであり、例えば牽引ロープ１２が巻掛けられる滑車と該滑車と支柱２との間に介在される引っ張りばね４７とで構成され、滑車４６を引っ張りばね４７によって常時引っ張り続けるように設けられている。尚、図中の符号４８は支柱２に固着されたフックである。
【００５６】
以上のように構成された開閉操作手段によれば、図１５（Ａ）並びに図２に示す収納状態の日除けシート４を展開する場合には、図１４に示すＡ方向に索引ロープ１２を操作することで、牽引ロープ１２を全体的に前方向（図１において反時計回転方向）に回転させることができる。しかも、牽引ロープ１２は、桁フレーム３の輪郭に沿って引き回されているので、日除けフレーム１８に対して概ね接線方向に牽引力を作用させることができる。即ち、日除けフレーム１８に対して直交する方向（接線方向）に牽引力を作用させることができる。したがって、牽引力のかかり具合が一定となって操作性が良いと共に、牽引力の全てを日除けフレーム１８の開閉動作に関して無駄なく付与することができる。
【００５７】
しかも、日除けフレーム１８の内周側の端部を回転軸２０に支承する一方、外周側をスライド手段２１によって支持しているので、開閉させるための操作力を小さくすることができる。依って、１本の牽引ロープ１２を操作するだけで、３箇所の日除けシート４を同時に軽い操作力で簡単に開閉させることができる。しかも、牽引ロープ１２は、桁フレーム３の上面に配置されたロープ走行用ガイドプーリー４１によって桁フレーム３の輪郭に沿って引き回されるので、下から見えないように引き回せることができる。
【００５８】
また、牽引ロープ１２が前方に移動して先頭の日除けフレーム１８が前方に引き出されると、後続の各日除けフレーム１８もそれぞれシート状部材１９によって互いに接続されているので、先頭の日除けフレーム１８に続いてその他の各日除けフレーム１８も順次引き出され、日除けシート４が展開される。そして、一番後の日除けフレーム１８は支柱２若しくは桁フレーム３に固定されているので、先頭の日除けフレーム１８が前方の支柱２に到達する際には全ての日除けフレーム１８の間の各シート状部材１９は張られた状態となり、弛みのないほぼ水平状態に保たれる。ここで、シート状部材１９を「ほぼ水平状態に張る」とは、シート状部材１９を弛み無く水平になるようにピンと張る場合を含むのは勿論のこと、垂みのでない程度に緩やかに張られている場合も含まれる。
【００５９】
また、図１５（Ｂ）並びに図１に示す展開状態の日除けシート４を収納する場合には、図１４に示すＢ方向に牽引ロープ１２を操作することで、牽引ロープ１２を後方向（図１において時計回転方向）に回転させる。これにより、牽引ロープ１２に連結されている先頭の日除けフレーム１８が後方向に移動し、後続の日除けフレーム１８に次々に突き当たって押し戻しながら後端の固定された日除けフレーム１８に当接するまで移動する。この時、各日除けフレーム１８の間のシート状部材１９は垂れて折り畳まれる。これにより、日除けシート４は収納カバー１１の下に寄せられて収納される。
【００６０】
通常、屋外使用のオーニングの場合、シート状部材１９を吊り下げる日除けフレーム１８には、曲げ強度を高めるために高さのある断面形状にして断面二次モーメントを大きくする必要がある。このため、日除けフレーム１８の基端部を１本の回転軸２０で連結して扇状に開閉させようとすると、扇の要となる部分に近づいたところでは日除けフレーム１８同士の干渉が起こり、それ以上に扇の角度を狭くすることができないという問題がある。即ち、日除けシート４の収納時には内周端側で日除けフレーム１８同士が干渉すると、外周端側では隣合う日除けフレーム１８の間に間隔が開いてしまうのでコンパクトに収納できず、収納場所を取る問題がある。しかし、本実施形態の日除けシート４は、日除けフレーム１８の傾斜角度が交互に異なり、要となる回転軸２０の附近では互いに干渉することがないように上下に振り分けられているため、狭い角度に折り畳まれてコンパクトに収納できる。  
【００６１】
尚、日除けシート４は、牽引ロープ１２の操作によって、収納状態から展開状態へあるいはその逆に展開状態から収納状態へと開度を自由に変化させ得ると共に、牽引ロープ１２の支柱２への固定により任意の位置、任意の開度で固定することができる。
【００６２】
上述の実施形態によれば、日除けシート４を円環状フレーム１に沿って水平面内で扇形に開閉させるという、従来にない斬新な動きのオーニングを提供できる。しかも、複数の区画で同時に開閉するという面白みのある動きを実現できると共に各区画毎に日除けシート４の開閉が同時に行われるので、展開・収納（全開全閉）に時間がかからないオーニングを提供できる。  
【００６３】
なお、上述の形態は本発明の好適な形態の一例ではあるがこれに限定されるものではなく本発明の要旨を逸脱しない範囲において種々変形実施可能である。
【００６４】
例えば、上述の実施形態では、日除けフレーム１８は基端（根元）側において上下２列に交互に振り分ける構造とされているが、これに特に限られるものではなく、場合によっては上中下の３列あるいは３列以上に振り分けるようにしても良い。即ち、回転軸２０に嵌合されるプレートの位置を３箇所あるいはそれ以上に分けて順次振り分けることで、さらに日除けフレーム１８の基端側における干渉を抑えることができる。即ち、内周側の端部が連結プレート２５を介して桁フレーム３の曲率中心に配置されている回転軸２０の異なる高さ位置に順次振り分けられて積み重ねるように回転自在に連結され、日除けフレーム１８の傾斜角度が隣同士で異なり、要となる回転軸２０の附近では互いに干渉することがないように上下方向に振り分けられていれば良い。
【００６５】
また、上述の実施形態では、日除けシート４は展開したときにシート状部材１９が張り詰められて水平にピンと張られるように設けられているが、これに特に限定されるものではなく、シート状部材１９が弛みを以て展開されるようにしても良い。例えば、図１６に示すように、シート状部材１９の幅よりも短いテープ状連結部材４９で隣合う日除けフレーム１８同士を直接連結することで、シート状部材１９が張り詰める前に次の日除けフレーム１８が引き出される構造として、テープ状連結部材４９で隣合う日除けフレーム１８同士が引っ張られて展開されて行くようにしても良い。この場合、隣合う日除けフレーム１８と日除けフレーム１８との間の間隔はシート状部材１９が張り詰める前にテープ状連結部材４９が張り詰めることで一定間隔に保たれるので、隣合う日除けフレーム１８の間でシート状部材１９が垂るみをもった優美な襞を形成することができる。
【００６６】
また、上述の実施形態では、スライド手段２１によって環状の桁フレーム３の下に日除けフレーム１８を吊り下げる支持構造としているが、これに特に限られるものではなく、場合によっては桁フレーム３のガイドレール部３ｂの内側に日除けフレーム１８の先端が収納されて摺動可能に支持されても良いし、あるいは桁フレーム３の上に日除けフレーム１８の先端部を載せて支持する構造としても良い。
【００６７】
また、上述の実施形態では、３つの円弧状の桁フレーム３を支柱２を挟んで繋ぎ合わせて３つの曲率中心を有する非真円形状の円環状としているが、これに特に限られるものではなく、例えば１つの真円から成る環状の桁フレーム３を支柱２で受け支えるように支持することで、日除けフレーム１８の移動範囲がほぼ１周するものとしても良い。即ち、１つの回転軸２０の周りに先頭の日除けフレーム１８がほぼ１周するように開閉する１つの日除けシート４によって円形のオーニングを構成するようにしても良い。また、複数の桁フレーム３と扇形日除けシート４とを組み合わせる場合にも、３つの日除けシート４等の組み合わせに限られず、２つの円弧を繋ぎ合わせた２つの区画としても良いし、さらには４つ以上の円弧を繋ぎ合わせた４つ以上の区画として全体として１つの円形のオーニングを構成するようにしても良い。さらには、上述の実施形態では、複数の桁フレーム３と扇形日除けシート４とを組み合わせて全体として円形のオーニングを構成する場合について主に説明したが、これに特に限定されるものではなく、１組みのフレームユニットと日除けシートとで構成される扇形例えば上述の実施形態の１つの区画（角度１２０°）のオーニングとして構成したり、複数組みのユニットを組み合わせて半円状あるいは半円以上で３６０°未満の扇形のオーニングとして構成するようにしても良い。尚、１組みのフレームユニットと日除けシートとで構成される扇形の１つの区画の角度は、図示の１２０°程度に特に限られず、それよりも大きな角度としても良いし、小さな角度例えば９０°、さらには６０°あるいはそれよりも小さな任意の角度に形成しても良い。
【００６８】
さらに、上述の実施形態では、１本の牽引ロープ１２で３区画の日除けシート４を同時に開閉させる操作機構としているが、これに特に限られるものではなく、場合によっては各区画の日除けシート４毎に操作機構を設けることによって各区画毎に独立させてそれぞれ日除けシート４を開閉させるようにしても良い。
【００６９】
また、上述の実施形態では、日除けフレーム１８の基端部の連結プレート２５を回転軸２０の上段側２０ｂと下段側２０ａとに交互に振り分けながら異なる高さ位置に嵌合させて連結すると共に各日除けフレーム１８の連結プレート２５の折り曲げ深さを１枚毎に異ならせることで、日除けフレーム１８の基端部側を上段と下段との水平な２列に並べるようにしているが、これに特に限定されるものではなく、例えば各連結プレート２５に曲がりのない直プレートとすることで、上下２列に振り分けられた複数の日除けフレーム１８の並びが回転軸２０に連結される高さ位置に応じて１段ずつ高くなる斜めの並びとなるようにしても良い。この場合でも、日除けシート４の回転軸２０の近くでの日除けフレーム１８の干渉を無くして外周端側で隣る日除けフレーム１８同士が接触するまで閉じることができるので、日除けシート４の収納時の幅は最小狭にまで三角形・扇形に閉じることができる。依って、日除けシート４の展開時と収納時とで開度の差を従前よりも一層広げることができる。
【００７０】
また、上述の実施形態では、各シート状部材１９の寸法、特に横幅（周方向の長さ）を同じに揃えて日除けシート４を開いた時の各日除けフレーム１８の間隔を同じにしているが、これに特に限られるものではなく、場合によっては異なる長さにしても良い。勿論、径方向の長さに関しては桁フレーム３と雨水受け１３との間を塞ぐ長さにシート状部材１９の長さを揃えることが日除けとしての機能を損なうことがないようにする上で好ましいことは言うまでもない。
【符号の説明】
【００７１】
１  円環状フレーム
２  支柱
３  桁フレーム
３ｂ  ガイドレール部
４  日除けシート
７  中央吊り支柱
１２  牽引ロープ
１８  日除けフレーム
１９  シート状部材
２０  回転軸
２１  スライド手段
２５  連結プレート
３６  連結部材
３７  ロープ固定部
４１  ロープ走行用ガイドプーリー
４２  方向転換用ガイドプーリー
４３  縦ガイドプーリー
４４  ロープ固定装置
４５  予張装置
【図１】
2019049160.tif 000003
【図２】
2019049160.tif 000004
【図３】
2019049160.tif 000005
【図４】
2019049160.tif 000006
【図５】
2019049160.tif 000007
【図６】
2019049160.tif 000008
【図７】
2019049160.tif 000009
【図８】
2019049160.tif 000010
【図９】
2019049160.tif 000011
【図１０】
2019049160.tif 000012
【図１１】
2019049160.tif 000013
【図１２】
2019049160.tif 000014
【図１３】
2019049160.tif 000015
【図１４】
2019049160.tif 000016
【図１５】
2019049160.tif 000017
【図１６】
2019049160.tif 000018